(57)【要約】【課題】一つの折畳み可能な携帯用鏡によって、二種類の鏡の機能を果すことができ、且つワンタッチ操作で鏡を開閉できる至便性を有する携帯用鏡を提供すること。【解決手段】この携帯用鏡Ｍは、表面にそれぞれ鏡板Ｍ１とＭ２を備えた、使用時には下部に位置する一方の鏡部材１と、上方に位置する他方の鏡部材２とから構成されており、両鏡部材１、２の基辺を枢着部材３と弾力付勢部材４により枢着し、該枢着部にスプリングＳを内装して、他方の鏡部材２をスプリングＳの弾発力により、所要の角度で回動起立させるように付勢されている。両鏡部材１、２の側部に係合部材５と離脱部材６とを設け、両鏡部材１、２を閉じ合わせると、係合部材５により両鏡部材１、２を係合閉止させ、離脱部材６をワンタッチで操作すると、両鏡部材１、２の係合を解いて、他方の鏡部材２をスプリングＳの付勢力により起立させるように構成する。【選択図】        図５
2004229983.tif 000002
【特許請求の範囲】
【請求項１】
表面にそれぞれ鏡板を備えた、使用時には下部に位置する一方の鏡部材と、上方に位置する他方の鏡部材とから構成されており、両鏡部材の基辺を枢着すると共に、該枢着部にスプリングを設けて、常態では、上記他方の鏡部材を上記スプリングの弾発力により、上記一方の鏡部材に対して所要の角度で回動起立させるように付勢されており、且つ両鏡部材の側部に係合部材と離脱部材とを設けて、両鏡部材を閉じ合わせた際には係合部材により両鏡部材を係合閉止させると共に、離脱部材の露呈部を操作することにより両鏡部材の係合を解いて、上記他方の鏡部材を上記スプリングの付勢力により起立させるように構成したことを特徴とする携帯用鏡。
【請求項２】
他方の鏡部材は、一方の鏡部材の凹面内に嵌入可能に形成されていて、嵩をコンパクト化できるように構成されている請求項１に記載の携帯用鏡。
【請求項３】
一方の鏡部材の基辺には、ストッパーが突設されていて、他方の鏡部材の回動傾斜角度を規制できるように構成されている請求項１に記載の携帯用鏡。
【請求項４】
係合部材と離脱部材とは、両鏡部材の側部の対応位置に設けられていて、合成樹脂製の係合部材と離脱部材との内側面に一体に突設された弾性脚の弾性伸縮作用により、両鏡部材の係合と離脱のための進退動作を行ない得るように構成されている請求項１に記載の携帯用鏡。
【請求項５】
一方の鏡部材は他方の鏡部材よりも重く構成されている請求項１に記載の携帯用鏡。
【発明の詳細な説明】
【０００１】
【発明の属する技術分野】
本発明は、携帯用鏡に関し、さらに詳しくは、コンパクトに二つ折りして携帯の便を図り得ると共に、２枚の鏡を備えることにより、鏡としての使用価値を著しく向上できる利点を備えた携帯用鏡の改良に関する。
【０００２】
【従来の技術】
従来、この種の携帯用鏡乃至スタンド鏡は、携帯の便宜を図ってコンパクトに形成されており、その多くはコンパクト化のために折畳み可能に構成されている。
【０００３】
また、従来の折畳み可能な携帯用鏡乃至スタンド鏡は、三面鏡タイプのもの以外は、一枚の鏡板を鏡枠に取付けて構成され、且つ使用時及び不使用時における鏡の開閉は両手を使用して操作するように構成されている。
【０００４】
【特許文献１】
登録実用新案第３００２７５７号公報（第２頁、図１）
【特許文献２】
登録実用新案第３０６６９８７号公報（第１〜２頁、図１２）
【特許文献３】
特開平９−２２０１４１号公報（第３〜４頁、図１）
【特許文献４】
登録意匠第９３７３３３号公報（参考斜視図）
【０００５】
【発明が解決しようとする課題】
然しながら、上記特許文献１〜４記載の鏡は、いづれも一枚の鏡板を備えているだけであるから、不測に鏡板が破損又は脱落紛失した場合は、鏡としての用をなさないことは勿論、一種類の鏡だけの機能を有すると言う使用上の不便性と物足りなさがあり、且つ両手を用いて鏡を開閉しなければならないと言った操作上の不便性があった。
【０００６】
本発明は、上記の問題を解決することを課題として開発されたもので、一つの携帯用鏡によって二種類の鏡板の機能を果し得ると共に、一枚の鏡板が破損又は脱落紛失しても今一つの他の鏡板によって補うことができる便宜性があり、且つ片手によるワンタッチ操作で鏡を開閉できる至便性を有する携帯用鏡を提供することを目的とするものである。
【０００７】
【課題を解決するための手段】
本発明は、上記の問題を解決し、その目的を達成することを課題として開発されたものであって、表面にそれぞれ鏡板を備えた、使用時には下部に位置する一方の鏡部材と、上方に位置する他方の鏡部材とから構成されており、両鏡部材の基辺を枢着すると共に、該枢着部にスプリングを設けて、常態では、上記他方の鏡部材を上記スプリングの弾発力により、上記一方の鏡部材に対して所要の角度で回動起立させるように付勢されており、且つ両鏡部材の側部に係合部材と離脱部材とを設けて、両鏡部材を閉じ合わせた際には係合部材により両鏡部材を係合閉止させると共に、離脱部材の露呈部を操作することにより両鏡部材の係合を解いて、上記他方の鏡部材を上記スプリングの付勢力により起立させるように構成したことを特徴とする携帯用鏡を提供するものである。
【０００８】
また、本発明は、上記のように構成された携帯用鏡において、他方の鏡部材は、一方の鏡部材の凹面内に嵌入可能に形成されていて、嵩をコンパクト化できるように構成されている携帯用鏡、及び一方の鏡部材の基辺には、ストッパーが突設されていて、他方の鏡部材の回動傾斜角度を規制できるように構成されている携帯用鏡、及び係合部材と離脱部材とは、両鏡部材の側部の対応位置に設けられていて、合成樹脂製の係合部材と離脱部材との内側面に一体に突設された弾性脚の弾性伸縮作用により、両鏡部材の係合と離脱のための進退動作を行ない得るように構成されている携帯用鏡、並びに一方の鏡部材は他方の鏡部材よりも重く構成されて携帯用鏡をそれぞれ提供するものである。
【０００９】
【発明の実施の形態】
以下、本発明の実施の形態を添付図面に基づいて説明すれば、この実施の形態で示す携帯用鏡Ｍは、使用時には下部に位置する一方の鏡部材１と、使用時には上部に位置する他方の鏡部材２と、上記両鏡部材１、２の各基辺１ａ、２ａの枢着部材３と、該枢着部材３に装備された、他方の鏡部材２をスプリングの弾発力により跳上げて回動起立させる弾発力付勢部材４と、両鏡部材１及び２を係合閉止する係合部材５と、その係合閉止状態を解くための離脱部材６とから構成されている。
【００１０】
而して、上記一方の鏡部材１は、図５〜図７に示すように、先端側を稍短巾に形成し、周辺に鍔縁１ｂを立設して該鍔縁１ｂの内側に浅い凹面１ｃを形成したプラスチック製の縦長方形状の本体１ｄを構成すると共に、上記鍔縁１ｂの左右両側の上方部に設けた通孔１ｅ、１ｅと、該通孔１ｅ、１ｅと連通させて上記凹面１ｃ上に穿設した浅い方形状の小凹面１ｆ、１ｆと、該小凹面１ｆ、１ｆに突設したガイド用小突起１ｇ、１ｇと、左右の鍔縁１ｂ、１ｂの上端突出部１ｂ１、１ｂ１に設けたピン孔１ｈ、１ｈ及び係合溝１ｉ、１ｉと、基辺１ａの中間部に突設したストッパー１ｊとを備え、上記小凹面１ｆ、１ｆに、後述する両鏡部材１、２の係合閉止状態を解くための離脱部材６、６を嵌入すると共に、上記凹面１ｃに上部の鏡板Ｍ１をキッチリと嵌着して構成されている。
【００１１】
上記他方の鏡部材２は、本体２ｂと、楕円形状の上部の鏡板Ｍ２と、該鏡板Ｍ２の固定支持板２ｃとから構成されていて、その本体２ｂは、図５、図１３〜図１７に示すように、先端側を稍短巾に形成し、周辺に鍔縁２ｄを立設して該鍔縁２ｄの内側に浅い凹面２ｅを形成したプラスチック製の縦長方形状に形成してある。
【００１２】
また、上記鍔縁２ｄの両側には、両鏡部材１、２を閉じ合わせた際に、上述した一方の鏡部材１の通孔１ｅ、１ｅと合致する位置に、上部を開口した切欠孔２ｆ、２ｆが設けてあり、該切欠孔２ｆ、２ｆの内側の凹面２ｅに、上記鏡板Ｍ２を介在させて、該鏡板Ｍ２を表見させる楕円形の窓孔２ｇを備えた鏡板Ｍ２の固定支持板２ｃがキッチリと嵌着してあり、該固定支持板２ｃの裏面の両側に上記切欠孔２ｆ、２ｆと合致する位置において、切欠孔２ｈ、２ｈが設けられると共に、該切欠孔２ｈ、２ｈの内側に方形状の輪郭２ｉ、２ｉを突設して、該輪郭２ｉ、２ｉ内に前記係合部材５、５を収容するスペース２ｊ、２ｊを、上記切欠孔２ｈ、２ｈと連通させて形成すると共に、該スペース２ｊ、２ｊにガイド用小突起２ｋ、２ｋが突設してある。
【００１３】
さらに、本体２ｂの鍔縁２ｄの両側下端部には、後述する弾発力付勢部材４、４を介して前記一方の鏡部材１を枢着する枢着部材３、３が一体的に設けてあり、該枢着部材３、３は、図２２に明示するように、内端側の底部３ａ、３ａの内面に、後述するコイルスプリングＳ、Ｓの一端部の係着部３ｂ、３ｂを突設すると共に、外端側を開口した有底の筒状体３ｃ、３ｃで構成されていて、この二つの枢着部材３、３を所要の間隔を保って横向きにして設けてある。
【００１４】
上記弾発力付勢部材４は、図１８及び図１９に示すように、上記枢着部材３、３の筒状体３ｃ、３ｃ内に嵌挿できる外径を備え、外端側に既述したピン孔１ｈ、１ｈの位置と合致するように設けたピン孔４ａ、４ａと、既述した係合溝１ｉ、１ｉに係合する係合突条４ｂ、４ｂを設けると共に、外端側の底部４ｃ、４ｃの内面に、コイルスプリングＳの他端部の係着部４ｄ、４ｄを突設すると共に、内端側を開口した有底の筒状体４ｅ、４ｅ内にコイルスプリングＳ、Ｓを挿入して、その挿入端部を上記係着部４ｄ、４ｄに係着した後、該筒状体４ｅ、４ｅをコイルスプリングＳ、Ｓと共に前記枢着部材３、３の筒状体３ｃ、３ｃ内に挿入し、コイルスプリングＳ、Ｓの先端部を筒状体３ｃ、３ｃの係着部３ｂ、３ｂにそれぞれ係着する。
【００１５】
然る後に、両鏡部材１と２とを一杯に開いた状態において、一方の鏡部材１の鍔縁１ｂの両上端突出部１ｂ１、１ｂ１の間に、図１３に示すように、コイルスプリングＳ、Ｓの弾発性によって外側に若干突出している他方の鏡部材２の筒状体４ｅ、４ｅの該突出部を枢着部材３、３の筒状体３ｃ、３ｃ内に押し込みながら、筒状体４ｅ、４ｅの係合突条４ｂ、４ｂを一方の鏡部材１の係合溝１ｉ、１ｉに嵌入して、両ピン孔１ｈ、１ｈとピン孔４ａ、４ａにピンＰ、Ｐを圧入することにより、一方の鏡部材１と他方の鏡部材２の筒状体４ｅ、４ｅとを一体的に楔着する（図２２参照）。
【００１６】
また、上記係合部材５、５は、図１４及び図１６に示すように、前記固定支持板２ｃの裏面に設けた方形状の輪郭２ｉ、２ｉ内に収容可能な大きさを有し、内側辺にＵ字状の弾性脚片５ａ、５ａを突設すると共に、外側辺に下面をテーパー状に形成した係合用突出辺５ｂ、５ｂを設けた合成樹脂製の薄板で構成されており、この係合部材５、５を上記輪郭２ｉ、２ｉ内に収容して、その弾性脚片５ａ、５ａを輪郭２ｉ、２ｉの内側辺に圧接することにより、その弾発性によって上記係合用突出辺５ｂ、５ｂを固定支持板２ｃの切欠孔２ｆから外部に突出させてある。
なお、図示するのを省略したが、係合部材５、５の裏面にはガイド用の長孔が横方向にそれぞれ設けてあり、この長孔内に固定支持板２ｃに突設したガイド用小突起２ｋ、２ｋを嵌入してある。
【００１７】
さらに、上記離脱部材６、６は、図７、図９及び図１０に示すように、前記一方の鏡部材１の凹面１ｃに設けた小凹面１ｆ、１ｆに収容可能な大きさを有し、内側辺にＵ字状の弾性脚片６ｄ、６ｄを突設すると共に、外側辺に押込み操作部６ａ、６ａを設けた合成樹脂性の薄板で構成されており、その押込み操作部６ａ、６ａの内側端に上面をテーパー状に形成した離脱用突辺６ｂ、６ｂを設けると共に、離脱部材６、６の略中央部にガイド用の長孔６ｃ、６ｃが横方向に設けてある。
この離脱部材６、６は、一方の鏡部材１の凹面１ｃに設けた前記小凹面１ｆ、１ｆ内に収容すると共に、上記ガイド用の長孔６ｃ、６ｃ内に小凹面１ｆ、１ｆのガイド用小突起１ｇ、１ｇを嵌入して、弾性脚辺６ｄ、６ｄを小凹面１ｆ、１ｆの内側辺に圧接することにより、その弾発性によって上記押込み操作部６ａ、６ａを一方の鏡部材１の通孔１ｅ、１ｅ内に挿入し、その押込み操作面を外部に表見させてある。
【００１８】
次に、上記のように構成した携帯用鏡Ｍの使用状態を作用、効果と共に説明する。
前記したように、両鏡部材１、２を一杯に開いた状態で、両鏡部材１、２の枢着部に、前記の構成にしたがって設けられた弾発力付勢部材４のコイルスプリングＳ、Ｓは、両鏡部材１、２を閉じ合わせると、常態にあるコイルスプリングＳ、Ｓの弾力性に逆らって、正逆のいづれかの方向に弾縮又は拡開されるため、この状態においては、両鏡部材１、２には拡開方向に弾発付勢される。
【００１９】
また、同時に、図２３に示すように、他方の鏡部材２に設けられた係合部材５の係合突出辺５ｂ、５ｂは弾性脚片５ａ、５ａにより外側に押されているため、その上端が一方の鏡部材１の通孔１ｅ、１ｅの内縁に係止されて両鏡部材１、２は係合閉着される。
【００２０】
次に、使用に際しては、図２４に示すように、一方の鏡部材１に設けられた離脱部材６の押込み操作部６ａ、６ａを指先で押すと、その離脱用突辺６ｂ、６ｂが係合部材５の係合用突出辺５ｂ、５ｂを押込んで、上記通孔１ｅ、１ｅとの係止状態を解くため、両鏡部材１と２は弾発力付勢部材４のコイルスプリングＳ、Ｓの復元弾発力により拡開されるが、このとき、一方の鏡部材１の基辺１ａに突設されているストッパー１ｊに、他方の鏡部材２の基辺２ａが当って、図５に示すように、所定の傾斜角度で他方の鏡部材２を仰向けに起立させるものである。
【００２１】
また、この実施の形態では、一方の鏡部材１の重量を他方の鏡部材２よりも重く構成してあるので、該一方の鏡部材１を基板として卓上に置くことにより、卓上鏡として使用できる利点がある。
【００２２】
上記のように構成した実施の形態で示す携帯用鏡Ｍによれば、次の効果を奏するものである。
（１）不使用時には、一方の鏡部材１の内面にくぼませて設けた鏡板Ｍ１の上部に他方の鏡部材２を嵌挿できるので嵩をコンパクト化でき、携帯に便利であると共に、両鏡板Ｍ１、Ｍ２を傷つける恐れがない。
（２）離脱部材６の押込み操作部６ａ、６ａを指先で押すだけのワンタッチ操作で、片手により他方の鏡部材２を傾斜させて起立できる至便性があると共に、ストッパー１ｊにより他方の鏡部材２の傾斜角度を規制でき、最も見易い傾斜角度を設定できる。
（３）二つの鏡板Ｍ１、Ｍ２を都合よく使い分けできると共に、他方の鏡部材２を一方の鏡部材１上に安定して起立できるので、卓上鏡としても使用できる。
（４）一つの携帯用鏡Ｍにより二種類の鏡板の機能を果し得ると共に、一枚の鏡板Ｍ１かＭ２が破損又は脱落紛失しても今一つの他の鏡板Ｍ２かＭ１によって補うことができる。
【００２３】
以上、本発明の一実施の形態について説明したが、本発明は、上記の実施の形態に限定されるものではなく、本発明の目的を達成でき且つ本発明の要旨を逸脱しない範囲内で種々の設計変更が可能である。
【００２４】
【発明の効果】
本発明は、表面にそれぞれ鏡板を備えた、使用時には下部に位置する一方の鏡部材と、上方に位置する他方の鏡部材とから構成されており、両鏡部材の基辺を枢着すると共に、該枢着部にスプリングを設けて、常態では、上記他方の鏡部材を上記スプリングの弾発力により、上記一方の鏡部材に対して所要の角度で回動起立させるように付勢されており、且つ両鏡部材の側部に係合部材と離脱部材とを設けて、両鏡部材を閉じ合わせた際には係合部材により両鏡部材を係合閉止させると共に、離脱部材の露呈部を操作することにより両鏡部材の係合を解いて、上記他方の鏡部材を上記スプリングの付勢力により起立させるように構成したことを特徴とする携帯用鏡に係り、上記のようにして使用するものであるから、実施の形態で述べた効果のうちの主要な効果を達成できるものである。
【図面の簡単な説明】
【図１】本発明の実施の形態を示す正面図である。
【図２】その背面図である。
【図３】その側面図である。
【図４】その平面図である。
【図５】その一使用状態を示す斜視図である。
【図６】一方の鏡部材のみを示す正面図である。
【図７】一方の鏡部材から鏡板を外した状態の正面図である。
【図８】一方の鏡部材の内面のみを示す正面図である。
【図９】左右一対の離脱部材のみを示す拡大正面図である。
【図１０】離脱部材のさらなる拡大斜視図である。
【図１１】一方の鏡板の正面図である。
【図１２】一方の鏡部材の背面図である。
【図１３】他方の鏡部材のみを示す正面図である。
【図１４】他方の鏡部材から取外した固定支持板の裏面図である。
【図１５】他方の鏡板の正面図である。
【図１６】係合部材の一つを示す拡大斜視図である。
【図１７】固定支持板の平面図である。
【図１８】弾発力付勢部材の側面図である。
【図１９】その縦断正面図である。
【図２０】係合部材を係合させた状態における図１のＡ−Ａ線に沿う拡大縦断端面図である。
【図２１】離脱部材により係合部材の係合を解いた状態における図１のＡ−Ａ線に沿う拡大縦断端面図である。
【図２２】両鏡部材を開いた状態における枢着部を示す要部を縦断した一部省略拡大平面図である。
【図２３】両鏡部材の係合状態の概略を示す説明図である。
【図２４】両鏡部材の離脱状態の概略を示す説明図である。
【符号の説明】
Ｍ      携帯用鏡
１      一方の鏡部材
１ａ    基辺
１ｂ    鍔縁
１ｂ１  上端突出部
１ｃ    凹面
１ｄ    本体
１ｅ    通孔
１ｆ    小凹面
１ｇ    ガイド用小突起
１ｈ    ピン孔
１ｉ    係合溝
１ｊ    ストッパー
Ｍ１      一方の鏡板
２      他方の鏡部材
２ａ    基辺
２ｂ    本体
２ｃ    固定支持板
２ｄ    鍔縁
２ｅ    凹面
２ｆ    切欠孔
２ｇ    窓孔
２ｈ    切欠孔
２ｉ    方形状の輪郭
２ｊ    スペース
２ｋ    ガイド用小突起
３      枢着部材
３ａ    底部
３ｂ    係着部
３ｃ    有底の筒状体
４      弾発力付勢部材
４ａ    ピン孔
４ｂ    係合突条
４ｃ    底部
４ｄ    係着部
４ｅ    有底の筒状体
Ｓ      コイルスプリング
５      係合部材
５ａ    弾性脚片
５ｂ    係合用突出辺
６      離脱部材
６ａ    押込み操作部
６ｂ    離脱用突辺
６ｃ    ガイド用長孔
６ｄ    弾性脚片
【図１】
2004229983.tif 000003
【図２】
2004229983.tif 000004
【図３】
2004229983.tif 000005
【図４】
2004229983.tif 000006
【図５】
2004229983.tif 000007
【図６】
2004229983.tif 000008
【図７】
2004229983.tif 000009
【図８】
2004229983.tif 000010
【図９】
2004229983.tif 000011
【図１０】
2004229983.tif 000012
【図１１】
2004229983.tif 000013
【図１２】
2004229983.tif 000014
【図１３】
2004229983.tif 000015
【図１４】
2004229983.tif 000016
【図１５】
2004229983.tif 000017
【図１６】
2004229983.tif 000018
【図１７】
2004229983.tif 000019
【図１８】
2004229983.tif 000020
【図１９】
2004229983.tif 000021
【図２０】
2004229983.tif 000022
【図２１】
2004229983.tif 000023
【図２２】
2004229983.tif 000024
【図２３】
2004229983.tif 000025
【図２４】
2004229983.tif 000026